(57)【要約】【課題】  複数の保持部分を有する保持装置において、荷重を好適に分散させられるとともに、保持対象を固定できる保持装置を提供する。【解決手段】  基台と、束状に配置される複数の棒状部材と、基台の内部に配置される弾性部材と、を有する保持装置であって、複数の棒状部材はそれぞれ、基台から突出する突出部分と、基台の内部に収容される被収容部分とを有し、弾性部材は複数の棒状部材を支持し、複数の棒状部材はその軸方向にそれぞれ別個に移動可能である。【選択図】  図１
2018157874.tif 000002
【特許請求の範囲】
【請求項１】
基台と、
束状に配置される複数の棒状部材と、
前記基台の内部に配置される弾性部材と、を有する保持装置であって、
前記複数の棒状部材はそれぞれ、前記基台から突出する突出部分と、前記基台の内部に収容される被収容部分とを有し、
前記弾性部材は前記複数の棒状部材を支持し、
前記複数の棒状部材はその軸方向にそれぞれ別個に移動可能である、保持装置。
【請求項２】
保持対象が載置されていない状態での前記棒状部材の前記突出部分の長さは、該棒状部材の最大の移動距離以上の長さの範囲内である、請求項１に記載の保持装置。
【請求項３】
保持対象が載置された状態での前記棒状部材の前記突出部分の長さは２センチメートル以上の範囲内である、請求項１または請求項２に記載の保持装置。
【請求項４】
前記複数の棒状部材の全てまたはそのうちの一部の複数の棒状部材は、前記弾性部材により支持される、請求項１〜３のいずれか一項に記載の保持装置。
【請求項５】
前記弾性部材と前記複数の棒状部材の間に配置されるシート、をさらに有する請求項１〜４のいずれか一項に記載の保持装置。
【請求項６】
前記基台の内部に配置される支持板をさらに有し、
前記基台の上面部には独立した複数の第１の穴が形成され、
前記支持板には独立した複数の第２の穴が形成され、
前記棒状部材は、前記第１の穴と前記第２の穴の両方に遊挿される、請求項１〜５のいずれか一項に記載の保持装置。
【発明の詳細な説明】
【技術分野】
【０００１】
本発明は、保持装置に関する。
【背景技術】
【０００２】
従来、複数の突起によって人体を支える保持装置が提案されている。特許文献１（特開２００３−１５９３０７号公報）の図１〜８には複数の板状部材を備えた指圧効果用用具が記載されている。この指圧効果用用具は、互いに平行に立設された複数の板状部材を備える。これによれば、突起の先端による指圧効果の他、複数の突起の間における風通しが確保されることにより（特許文献１の段落００２２の「空隙１７を空気が通過する」なる記載を参照）、保持装置により支えられる人体の部位が蒸れるのを抑制する効果も期待できる。
【先行技術文献】
【特許文献】
【０００３】
【特許文献１】特開２００３−１５９３０７号公報
【発明の概要】
【発明が解決しようとする課題】
【０００４】
特許文献１に記載の技術は、突起による指圧効果を狙ったものであり、突起に当たる人体の所定の部位に対して所定の刺激を与えるものである。すなわち、突起に当たる人体の部位に荷重が集中する構造となっている。そのため、例えば、リラックスした状態で長時間にわたって同じ姿勢で使用するというような使用態様には不向きであり、仮に長時間にわたって使用を続けると、逆に体を痛めてしまう可能性もあると考えられる。
【０００５】
本発明は上記課題に鑑み、複数の保持部分を有する保持装置において、荷重を好適に分散させられるとともに、保持対象を固定できる保持装置を提供することをその目的の一つとする。
【課題を解決するための手段】
【０００６】
本発明の発明者らは上記課題を解決するために鋭意検討を重ねた結果、以下のように本発明の各局面に想到した。
すなわち、本発明の第１の局面に係る保持装置は、基台と、束状に配置される複数の棒状部材と、基台の内部に配置される弾性部材と、を有する保持装置であって、複数の棒状部材はそれぞれ、基台から突出する突出部分と、基台の内部に収容される被収容部分とを有し、弾性部材は複数の棒状部材を支持し、複数の棒状部材はその軸方向にそれぞれ別個に移動可能である。
このような構成によれば、束状に配置される複数の棒状部材の上端が多点状の保持部分として機能し得る。複数の棒状部材の上端に保持対象が載置されると、複数の棒状部材は弾性部材に支持されつつ、弾性部材の変形によりそれぞれ別個に移動することとなる。これにより、複数の棒状部材は保持対象の形状に沿ってそれぞれ移動できるため、保持対象にかかる荷重を好適に分散させることができ、また、保持対象が載置されていない周囲の棒状部材は移動しないか、もしくは保持対象が載置されている部分に比べ移動量が少ないため、保持対象を固定することができる。
【０００７】
また、本発明の第２の局面によれば、上記の保持装置において、保持対象が載置されていない状態での棒状部材の突出部分の長さは、棒状部材の最大の移動距離以上の長さになっている。そのため、保持対象が載置された場合であっても、棒状部材は基台から突出する部分を常に有する。
【０００８】
また、本発明の第３の局面によれば、上記の保持装置において、保持対象が載置された状態での棒状部材の突出部分の長さは２センチメートル以上の範囲内である。これによれば、長尺の部材である棒状部材の束によって保持対象を保持するため、保持対象が空中に浮遊しているような意外性のある保持態様を提供することができる。また、複数の棒状部材の間を空気が通過し易い構造であることから、特に、人体の保持を目的として保持装置を使用する場合には、保持されている体の部分が蒸れるのを抑制できる利点がある。
【０００９】
また、本発明の第４の局面によれば、上記の保持装置において、複数の棒状部材の全てまたはそのうちの一部の複数の棒状部材は、弾性部材により支持される。これによれば、複数の棒状部材に保持対象が載置されたときに、複数の棒状部材間の移動量の差が平滑化され、それらの沈み方が全体としてなだらかになる効果が得られる。
【００１０】
また、本発明の第５の局面によれば、上記の保持装置において、弾性部材と複数の棒状部材の間に配置されるシートをさらに有する。これによれば、棒状部材による弾性材料の破損を抑制できる。
【００１１】
また、本発明の第６の局面によれば、上記の保持装置は、基台の内部に配置される支持板をさらに有し、基台の上面部には独立した複数の第１の孔が形成され、支持板には独立した複数の第２の孔が形成され、棒状部材は、第１の孔と第２の孔の両方に遊挿される。
これによれば、複数の棒状部材を安定的に整列させられるとともに、それらの移動が円滑になる。
【図面の簡単な説明】
【００１２】
【図１】図１は本発明の第１実施形態に係る保持装置の斜視図である。
【図２】図２は第１実施形態に係る保持装置の平面図である。
【図３Ａ】図３Ａは図２の保持装置のＩＩＩＡ−ＩＩＩＡ断面を矢印の方向に見た縦断面図である。
【図３Ｂ】図３Ｂは第１実施形態に係る保持装置の使用例を説明するための縦断面図である。
【図４】図４は図３ＡのＩＶ−ＩＶ切断面を矢印の方向に見た部分断面図である。
【図５】図５は図３ＡのＶ−Ｖ切断面を矢印の方向に見た部分断面図である。
【図６】図６は本発明の第２実施形態に係る保持装置の平面図である。
【図７Ａ】図７Ａは図６の保持装置のＶＩＩＡ−ＶＩＩＡ断面を矢印の方向に見た縦断面図である。
【図７Ｂ】図７Ｂは第２実施形態に係る保持装置の使用例を説明するための縦断面図である。
【発明を実施するための形態】
【００１３】
以下、本発明に係る保持装置につき、複数の実施形態を例に取り、添付の図面を参照して説明する。
（第１実施形態）
図１は本発明の第１実施形態に係る保持装置１の斜視図であり、図２は保持装置１の平面図であり、図３Ａは図２の保持装置１のＩＩＩＡ−ＩＩＩＡ断面を矢印の方向に見た縦断面図である。これらの図に示すように、保持装置１は略円柱状の基台１０と、基台１０から上方へ突出する複数の棒状部材２０を有する。棒状部材２０はアクリル樹脂（ＰＭＭＡ樹脂）やポリカーボネート樹脂（ＰＣ樹脂）等の透明な樹脂やガラス等の透光性を有する無色または有色の導光性材料からなる。図例において、各棒状部材２０は円柱状のものとして形成される。
【００１４】
基台１０の上面は板状の仕切り板１２と、仕切り板１２の縁部分の一段高い位置に配置される環状の平板部材である枠部１１からなる。基台１０はその周面を形成する壁部を更に有する。仕切り板１２は金属、樹脂、木材等の材質からなり、材質そのものが遮光性を有するか、もしくは、塗装、印刷、メッキ、スパッタリング等による遮光性の表面処理が施されることによって遮光性を有するものとなっている。仕切り板１２には複数の棒状部材２０の数および断面形状に対応する複数の独立した穴１３が形成され、各棒状部材２０は穴１３に遊挿されている。これにより、各棒状部材２０は、仕切り板１２よりも上に突出する部分（以下、「突出部分」とも称する）と、仕切り板１２よりも下の基台１０の内部の空間に収容される部分（以下、「被収容部分」とも称する）とを有する。このようにして、複数の棒状部材２０は、その少なくとも一部（図示例では全部）が互いに隙間を空けて配置され、全体として束状に配置されている。
【００１５】
図４は図３Ａの保持装置１のＩＶ−ＩＶ切断面を矢印の方向に見た部分断面図である。保持装置１は仕切り板１２の周縁部付近の上面の上に、複数の棒状部材２０の束の外周を囲むように設置される円環形状の第１の光源３０を更に備える。第１の光源３０はその周方向に互いに間隔を空けて配置される複数の発光部３１を有し、複数の発光部３１は、複数の棒状部材２０の束へ向けて、束の並び方向に光を照射することで、各棒状部材２０の突出部分の周面を輝かせる演出を行うことができる。
【００１６】
図５は図３Ａの保持装置１のＶ−Ｖ切断面を矢印の方向に見た部分断面図である。保持装置１は、仕切り板１２よりも下の基台１０の内周面上に、複数の棒状部材２０の束の外周を囲むように配置される円環形状の第２の光源４０を更に有する。第２の光源４０はその周方向に互いに間隔を空けて配置される複数の発光部４１を有し、複数の発光部４１は、複数の棒状部材２０の束へ向けて光を照射する。照射された光の一部は棒状部材２０の周面からその内部へと進入し、その内面で反射され、棒状部材２０の上端面から外側へ放出される。こうして、複数の棒状部材２０の上端面が全体として点状に発光する演出を行うことができる。各棒状部材２０は、被収容部分の周面に対してブラスト処理、つや消しクリア塗装、メンディングテープの貼付等の粗面化処理が施されている。これにより、棒状部材２０の被収容部分の周面における反射光および透過光を減らし、棒状部材２０の上端面から出射される光量の増加を図っている。各棒状部材２０の被収容部分の周面のうち、第２の光源４０からの光が照射され得る範囲内にのみ粗面化処理が施されていてもよい。
【００１７】
第１の光源３０の発光部３１や第２の光源４０の発光部４１はＬＥＤや有機ＥＬ等の発光素子としてもよく、その他、蛍光灯や白熱電球等としてもよく、更にはこれらに限られない。第１の光源３０、第２の光源４０はそれらの全周が発光する線状光源でもよく、全周の内周側のみが線状に発光するものでもよい。環状の第１および第２の光源３０、４０を用いることに代えて、複数の発光部３１、４１のみを直接、仕切り板１２や基台１０の内面に取り付けてもよい。
【００１８】
本実施形態の保持装置１は更に、図３Ａに示すように、基台１０の内部に設置される弾性材料ブロック５０を有する。弾性材料ブロック５０は発泡ウレタン樹脂などの弾性材料からなる。弾性材料ブロック５０は基台１０内部の底部に配置される。弾性材料ブロック５０の上面にはナイロン、シリコン、エラストマー等からなる伸縮性を有するシート５１が配置または貼着されている。弾性材料ブロック５０の上面は、シート５１を介して複数の棒状部材２０の下端を支持している。
基台１０はさらに支持板６０を有する。支持板６０は仕切り板１２と同様の形状および穴を有し、仕切り板１２の下部に所定の間隔を隔てて基台１０の内周面に取り付けられる。仕切り板１２と支持板６０の穴は上下方向において一致するように配置されており、各棒状部材２０は上下方向に並ぶ仕切り板１２の穴１３と支持板６０の穴に摺動可能に遊挿される。
【００１９】
図３Ａに例示する保持装置１においては、複数の棒状部材２０の上端部の位置は一つの仮想的な平面に沿うものとなっている。これにより、保持装置１は、複数の棒状部材２０の上端部の上に人が座ったり寝たりするための椅子、ベッド、ソファ等としての機能や、物を置くためのテーブルや棚等としての機能を奏し得る。この場合の、保持装置１により保持される人や物（保持対象）は、複数の棒状部材２０の上端が提供する多点で支えられるため、保持対象に掛かる負荷の分散が図られることとなるとともに、保持対象が載置されていない周囲の棒状部材２０は移動しないか、もしくは保持対象が載置されている部分に比べ移動量が少ないため、保持対象を固定することができる。また、複数の棒状部材２０の間を空気が通過できるため、特に保持装置１を人体の保持に用いる場合には、保持される人体の部位が蒸れることを抑制できる利点がある。
【００２０】
そこで、保持装置１の使用例を図３Ｂに基づき説明する。図３Ｂは、保持装置１の複数の棒状部材２０に対して保持対象１００が載置された状態の例を示す縦断面図である。このように、保持対象１００により棒状部材２０の上端に対して下向きの荷重が加えられると、棒状部材２０は仕切り板１２の穴１３と支持板６０の穴の内部を移動し、棒状部材２０の下端が、それを支持している弾性材料ブロック５０の部分を下方向に押し込む。その結果、棒状部材２０が基台１０の内部へ向かって下がる。
上述のとおり、本実施形態の保持装置１は、弾性材料ブロック５０の上面に配置または貼着されるシート５１を有する。これにより、棒状部材２０に荷重が掛かり、棒状部材２０が弾性材料ブロック５０を下方へ押し込む際に、棒状部材２０の下端により弾性材料ブロック５０が破損されることを抑制できる。また、弾性材料ブロック５０の上面にシート５１が備えられていることにより、弾性材料ブロック５０の色が棒状部材２０の上端面の発色に影響することを抑制または防止することができる。棒状部材２０の上端部を光らせる場合、シートは白色または白色に近い色であることが好ましい。
【００２１】
なお、図３Ｂに示す様に、複数の棒状部材２０に対して共通する一つの弾性材料ブロック５０が備えられているため、ある棒状部材２０が荷重を受けて弾性材料ブロック５０を変形させる場合、その近傍の棒状部材３０で荷重が加えられていないものも、連動して沈み込み得る。
棒状部材２０に対する荷重が取り除かれると、弾性材料ブロック５０は元の形状へ復元することで棒状部材２０を上方へ押し戻し、棒状部材２０は元の位置へ戻る。
複数の棒状部材２０はそれぞれ別個に移動できるようになっている。そのため、例えば、複数の棒状部材２０の上端の上に人が座ったり寝たりしたとき、人の臀部や、大腿部、背中等の体表面の形状に沿うように各棒状部材２０がそれぞれ沈み込むことができるため、体に掛かる負荷が好適に分散され、より快適な使用感が提供される。
【００２２】
なお、本実施形態においては、荷重が加えられていない状態における棒状部材２０の突出部分の長さが、荷重が加えられたときの棒状部材２０の最大の移動距離以上の長さの範囲内となるように基台、棒状部材２０、弾性材料ブロック５０の各部の寸法や弾性材料ブロック５０の弾性の程度（すなわち、所定の荷重が加えられたときの変形のし易さ）が設定されることが好ましい。これにより、棒状部材２０が荷重により下方へ最大限移動したとしてもなお、棒状部材２０は基台１０の上方へ突出している部分を有する。またそれにより、棒状部材２０は、保持対象を保持している状態においても、その周面における発光の演出が維持されることとなる。
【００２３】
また、図３Ｂのように保持対象が載置された状態での棒状部材２０の突出部分の長さは例えば２センチメートル以上の範囲内に設定されることが好ましい。これによれば、長尺の部材である棒状部材２０の束によって保持対象を保持するため、保持対象が空中に浮遊しているような意外性のある保持態様を提供することができる。複数の棒状部材２０の間の空気の通過のし易さを確保する上でも、上記範囲は好ましい。また、荷重が加えられた棒状部材２０と荷重が加えられていない棒状部材２０の間に所定の高低差を設けることができるため、荷重が加えられた棒状部材２０を座面として用い、荷重が加えられていない棒状部材２０を背もたれとして用いるというような利用態様も考えられる。
なお、以上で説明した負荷の分散や空気の流通といった効果を好適に発揮させるためには、例えば、複数の棒状部材２０の配置領域（例えば、複数の棒状部材２０のうち最外周に配置される棒状部材２０により画定される領域）の面積に占める複数の棒状部材２０の断面積の合計の値の割合を０．２（２０％）〜０．８（８０％）の範囲内とすることが好ましい。
【００２４】
弾性材料ブロック５０の厚さや弾性は用途や使用者の好みに応じて任意に調整可能である。また、弾性材料ブロック５０の部位によって、弾性の程度を変化させてもよい。例えば、弾性材料ブロック５０を構成する発泡ウレタン樹脂の発泡具合を調整することにより弾性材料ブロック５０の弾性の程度を調整できる。弾性材料ブロック５０は複数の棒状部材２０の全てに共通するものである必要はない。弾性材料ブロック５０は複数の部分に分かれていてもよく、各部分が複数の棒状部材２０の一部を支持するものであってもよい。
【００２５】
上記説明においては基台１０の横断面形状を円形状としたが、本発明はこれに何ら限定されず、基台１０の横断面形状を楕円形状としたり、長円型としたり、多角形状としたり、その他、任意の形状とすることができる。基台１０の形状としては柱状に限定されず、台形状その他、任意の形状とすることができる。その場合、基台１０の形状に応じて、枠部１１、仕切り板１２、第１の光源３０、第２の光源４０等の形状や棒状部材２０の配置位置も任意に設定可能である。
保持装置１は、人や物を保持する機能を有するものとして説明したが、単に照明装置や装飾装置としての使用も可能である。その場合、保持装置１の設置方向は横置きや上下反対とするなど任意である。更に、本発明に係る装置は、保持装置１単体として実現するのみならず、自動車用シートなど、他の製品の一部として実現することも可能である。
【００２６】
枠部１１の上面および側面や仕切り板１２の上面は鏡面となっていてもよい。鏡面による光の反射により、より奥行きのある光の演出が可能となる。
仕切り板１２は透明な部材であってもよく、あるいは、省略してもよい。ただし、仕切り板１２が遮光性を有する場合には、第１の光源３０の光と第２の光源４０の光が混ざり合うのを避けられる利点があり、例えば、棒状部材２０の周面と上端面とをそれぞれを異なる輝度、色、パターン等の態様で光らせる場合の演出効果を高めることができる。
【００２７】
棒状部材２０は円柱状に限らず、楕円柱状、多角柱状であってもよい。また、棒状部材２０は管形状を有していてもよい。棒状部材２０は上述したような移動が可能な限りにおいて、柱状以外の長尺の部材であってもよい。棒状部材２０の上端面の縁が面取りされていてもよい。
棒状部材２０の本数は上記図示例に何ら限定されない。複数の棒状部材２０は形状や寸法が均一である必要はない。保持装置１は、荷重が加えられていない状態の複数の棒状部材２０の上端部の位置が一つの仮想的な平面に沿う構成に限定されず、複数の棒状部材２０の上端部の位置が複数の仮想的な平面に沿う構成や、一つまたは複数の仮想的な曲面に沿う構成とすることもできる。特に、保持装置１を椅子として用いる場合、複数の棒状部材２０の上端面は群として座面としての機能を奏し、複数の棒状部材２０の上端部は人の臀部や大腿部に沿う曲面形状に沿うように配置されることが好ましい。例えば、保持装置１の中央部付近の棒状部材２０の高さを保持装置１の周縁部に比べて低くして人の臀部に合わせた座面を形成してもよい。また、保持装置１の周縁部付近における棒状部材２０の上端を中央部付近より高く設定することで、一部の棒状部材２０がひじ掛け、背もたれ、枕、棚等として機能するように形成してもよい。
図例においては、仕切り板１２のうち、枠部１１と重なる部分を除く範囲に複数の棒状部材２０をほぼ均一の配置密度となるように配置したが、棒状部材２０の配置密度を仕切り板１２内の場所によって異ならせてもよい。
【００２８】
棒状部材２０と穴１３との隙間は、その隙間から光が漏れない程度に狭く設定されていていてもよい。棒状部材２０と穴１３と隙間に保持用または光漏れ防止用のスポンジ状ウレタン樹脂やゴム等の可撓部材を取り付けてもよい。
仕切り板１２の一部または全部にメッシュ状、格子状、ルーバー状その他の通風孔を設け、基台１０内部に送風機または空調機を備え、送風機または空調機からの風を通風孔から基台１０の上方へ向かって噴出させる構成としてもよい。
シート５１は弾性材料ブロック５０の上面を覆うのみならず、その全体を覆うものであってもよい。シート５１を備えることに代えて、弾性材料ブロック５０の上面を硬質化するための処理を行ってもよい。その場合でも、棒状部材２０の上端部を光らせる場合には、弾性材料ブロック５０の上面を白色または白色に近い色とすることが好ましい。
【００２９】
弾性材料ブロック５０の上面に対して複数の棒状部材２０の下端を挿入または固定してもよく、その場合は、支持板６０を省略できる。
第２の光源４０は仕切り板１２と支持板６０の間に配置されてもよい。第２の光源４０は支持板６０に固定されてもよい。
保持装置１は、第１の光源３０、第２の光源４０のいずれか一方のみを備えるものとしてもよい。保持装置１が第２の光源４０を備えない場合は、棒状部材２０を不透明な部材としてもよい。この場合は、シート５１の色は特に限定しない。本発明の適用においては、第１の光源３０および第２の光源４０を備えないものとしてもよい。
【００３０】
（第２実施形態）
次に、本発明の第２実施形態に係る保持装置１Ａにつき、図６、図７Ａ、図７Ｂを参照して説明する。図６は本発明の第２実施形態に係る保持装置１Ａの平面図であり、図７Ａは図６の保持装置１ＡのＶＩＩＡ−ＶＩＩＡ断面を矢印の方向に見た縦断面図である。これらの図に示す様に、第２実施形態に係る保持装置１Ａは、基台１０Ａの仕切り板１２Ａの一部の上面に対して楕円柱状の箱状部１４が、複数の棒状部材２０に囲まれる態様で固定されている。箱状部１４の上面には複数の穴１５が形成されており、複数の穴１５には複数の棒状部材２１が挿通されており、複数の棒状部材２１は箱状部１４の上方へ突出する。複数の棒状部材２１はアクリル樹脂（ＰＭＭＡ樹脂）やポリカーボネート樹脂（ＰＣ樹脂）等の透明な樹脂やガラス等の透光性を有する無色または有色の導光性材料からなる。図例において、箱状部１４の棒状部材２１は、仕切り板１２Ａの穴１３Ａに挿通される棒状部材２０よりも径が小さい円柱形状を有するものとなっている。ただし、本発明の適用において棒状部材２０と棒状部材２１の径の大小関係は問わない。図示した箱状部１４や棒状部材２１の形状は一例に過ぎない。箱状部１４の外面は鏡面となっており、箱状部１４の周囲に存在する複数の棒状部材２０からの光を反射する構成となっている。このような構成により、奥行きや広がりのある発光の態様が提供される。
【００３１】
箱状部１４は、内部にシリコーンゲル等からなる弾性膜部７０を有する。弾性膜部７０の外周部分が箱状部１４の内周面に対して固定されることで、弾性膜部７０は箱状部１４の内部を水平方向に横断するように延在する。例えば、箱状部１４の内周面に対して固定されたリング状その他の形状の固定部材と、別の固定部材との間に弾性膜部７０の外周部分を挟み込むこと等によって、弾性膜部７０を固定するものとしてもよい。箱状部１４の複数の棒状部材２１は下端部が弾性膜部７０の上面の上に接触し、または固定される。
【００３２】
図７Ｂは、本実施形態に係る保持装置１Ａの使用例を表す縦断面図である。箱状部１４の複数の棒状部材２１の上端部は、例えば、肘掛や枕、棚等として利用することができる。棒状部材２１を支持するための支持板７１が箱状部１４の内部であって弾性膜部７０よりも上の位置に配置されている。支持板７１は箱状部１４の穴１５と上下で重なる位置に同様の穴を有し、各棒状部材２１は箱状部１４の穴１５と支持板７１の穴に遊挿されている。複数の棒状部材２１の下端部が弾性膜部７０の上面に固定される場合、支持板７１は省略してもよい。
以上の構成において、棒状部材２１の上端に保持対象２００が載置されることで棒状部材２１に下向きの荷重が加えられると、棒状部材２１は弾性膜部７０を変形させるように降下することができる。棒状部材２１に加えられていた荷重が除去されると弾性膜部７０が弾性的に元の形状へ戻り、棒状部材２１は弾性膜部７０により元の位置へ押し戻される。
【００３３】
弾性材料ブロック５０の弾性の程度と弾性膜部７０の弾性の程度や張り具合をそれぞれ調整することで、基台１０Ａの仕切り板１２Ａから突出する棒状部材２０が提供する反発力と、箱状部１４から突出する棒状部材２１が提供する反発力を互いに異ならせることができる。特に、棒状部材２０が提供する反発力に比べて棒状部材２１が提供する反発力をより小さく設定することで、例えば、複数の棒状部材２１の上に肘、腕や頭を乗せたときにより柔らかい触感を提供することができ、箱状部１４をそのような肘掛や枕として利用できる。また、棒状部材２０と棒状部材２１の径を互いに異ならせることのほか、それらの配置密度を互いに異ならせることもできる。
【００３４】
箱状部１４の内部であって、弾性膜部７０よりも下の位置には第３の光源８０が設置されている。弾性膜部７０は透光性を有するものとして形成されている。そのため、第３の光源８０からの光は複数の棒状部材２１の下端面に入射し、棒状部材２１の内部を通って上端面から放出される。
第３の光源８０に代えて、またはそれに加えて、各棒状部材２１の周面に光を照射する光源を備えてもよく、棒状部材２１の周面から内部へ入射した光が棒状部材２１の上端から放出される構成としてもよい。棒状部材２１の周面のうち、箱状部１４の内部となる部分の少なくとも一部に粗面化処理が施され、光源からの光が棒状部材２１の内部へより入射し易い構成となっていてもよい。
なお、本発明の適用にあたり、箱状部１４内部に光源を配置しなくてもよい。
【００３５】
本発明は上記発明の各局面や実施形態やその変形例の説明に何ら限定されるものではない。特許請求の範囲を逸脱せず、当業者が容易に想到できる範囲で種々の変形態様もこの発明に含まれる。
【符号の説明】
【００３６】
１、１Ａ  保持装置
１０、１０Ａ  基台
１１  枠部
１２、１２Ａ  仕切り板
１３、１３Ａ  穴
１４  箱状部
１５  穴
２０  棒状部材
２１  棒状部材
３０  第１の光源
３１  発光部
４０  第２の光源
４１  発光部
５０  弾性材料ブロック（弾性部材）
５１  シート
６０  支持板
７０  弾性膜部
７１  支持板
８０  第３の光源
【図１】
2018157874.tif 000003
【図２】
2018157874.tif 000004
【図３Ａ】
2018157874.tif 000005
【図３Ｂ】
2018157874.tif 000006
【図４】
2018157874.tif 000007
【図５】
2018157874.tif 000008
【図６】
2018157874.tif 000009
【図７Ａ】
2018157874.tif 000010
【図７Ｂ】
2018157874.tif 000011